(57)【特許請求の範囲】
【請求項１】
建物の利用者毎に異なる暗証情報を付与した認証用記憶媒体を発行するとともに、前記建物内の複数のテナントへの入館を許可するための入館権限情報を管理する管理装置と、
前記建物の共通出入口の扉近傍に設置され、前記管理装置とネットワーク通信網を介して相互に通信可能に接続されており、前記共通出入口からの入館時に前記認証用記憶媒体の暗証情報を解錠時に読み取って正常に認証したときに前記共通出入口の電気錠の解錠制御と同時に、前記認証用記憶媒体に対してその日に入館可能なテナントに関する入館権限情報を前記管理装置からの入力操作により書き込むオンライン型の親電気錠装置と、
前記テナント毎の扉近傍に設置され、前記テナントへの入館時に前記認証用記憶媒体に記憶された入館権限情報を読み取り、該読み取った入館権限情報を正常に認証したときに当該テナントの電気錠を解錠制御するスタンドアロン型の複数の子電気錠装置とを具備したことを特徴とする入館権限情報システム。
【発明の詳細な説明】
【技術分野】
【０００１】
本発明は、建物内に配置される複数のテナント（例えば店舗、事務所など）への入館の是非を判別する入館権限情報システムに関するものである。
【背景技術】
【０００２】
既存の入館権限情報システムは、各テナント毎に設置される全てのリーダが制御盤に接続され、制御盤と各リーダとの間の情報のやり取りをオンライン上で行っている。これにより、例えば貸しビルなどの建物内に配置される複数のテナントへの入館の是非を判別している。
【０００３】
さらに説明すると、従来の入館権限情報システムでは、各テナント毎の扉付近にリーダを設置し、予め自分が所属するテナントへの入館に必要な入館権限情報をカードに記憶させておき、このカードをリーダにかざしたときにリーダが読み取った入館権限情報の正当性を制御盤側で判断し、入館権限情報を正常に認証したときのみ、制御盤の制御によって該当する電気錠が解錠し、テナントへの入館（入室）を可能としていた。
【発明の開示】
【発明が解決しようとする課題】
【０００４】
しかしながら、上述した従来の入館権限情報システムでは、以下に示すような課題があった。
【０００５】
（１）各テナント毎に設置されるリーダがそれぞれの制御盤にオンラインで接続されているので、制御盤の機器費用や施工費が甚大であった。
【０００６】
（２）連れ込み入館を防ぐことができない。これを防ぐためには、大規模で高価なフラッパーゲートシステムが必要であった。
【０００７】
（３）テナントエリアのレイアウト変更に容易に対応することができなかった。
【０００８】
そこで、本発明は上記問題点に鑑みてなされたものであり、完全オフラインで入館規制して連れ込み入館を防止でき、テナントエリアのレイアウト変更にも容易に対応して安価にシステムを構築することができる入館権限情報システムを提供することを目的とするものである。
【課題を解決するための手段】
【０００９】
上記した目的を達成するために、請求項１に記載された入館権限情報システムは、建物の利用者毎に異なる暗証情報を付与した認証用記憶媒体を発行するとともに、前記建物内の複数のテナントへの入館を許可するための入館権限情報を管理する管理装置と、
前記建物の共通出入口の扉近傍に設置され、前記管理装置とネットワーク通信網を介して相互に通信可能に接続されており、前記共通出入口からの入館時に前記認証用記憶媒体の暗証情報を解錠時に読み取って正常に認証したときに前記共通出入口の電気錠の解錠制御と同時に、前記認証用記憶媒体に対してその日に入館可能なテナントに関する入館権限情報を前記管理装置からの入力操作により書き込むオンライン型の親電気錠装置と、
前記テナント毎の扉近傍に設置され、前記テナントへの入館時に前記認証用記憶媒体に記憶された入館権限情報を読み取り、該読み取った入館権限情報を正常に認証したときに当該テナントの電気錠を解錠制御するスタンドアロン型の複数の子電気錠装置とを具備したことを特徴とする。
【発明の効果】
【００１０】
本発明によれば、完全オフラインでテナントへの入館規制が行え、連れ込み（後追い）入館を防止できる。また、テナントエリアのレイアウト変更にも容易に対応して安価にシステムを構築することができる。
【発明を実施するための最良の形態】
【００１１】
以下、本発明の実施の形態について、添付した図面を参照しながら具体的に説明する。図１は本発明に係る入館権限情報システムの概略構成を示すブロック図、図２は本発明に係る入館権限情報システムが採用される建物の概略構成図、図３は本発明に係る入館権限情報システムの運用時の概略説明図である。
【００１２】
本例の入館権限情報システム１は、図２に示すように、共通出入口としてのエントランス２を有し、館内に複数のテナント３が配置された例えば貸しビル等の建物４に採用され、各テナント４に対する入館権限を管理するとともに、エントランス２からの入館時に認証用記憶媒体５に書き込まれる入館権限情報に基づいて各テナント４への入館の是非を判別している。
【００１３】
認証用記憶媒体５は、エントランス２の電気錠や各テナント３の電気錠を解錠する場合に使用され、予め所持者を特定する暗証情報（個人特有の情報）が付与される。具体的には、例えば磁気カード、フェリカなどの非接触型ＩＣカードなどのカード状記憶媒体の他、非接触型ＩＣカードを応用した携帯電話機（お財布携帯）などが認証用記憶媒体５として使用される。尚、以下の説明では、認証用記憶媒体５をカードとしている。
【００１４】
図１に示すように、入館権限情報システム１は、管理装置１１、親電気錠装置１２、子電気錠装置１３を備えて概略構成される。
【００１５】
管理装置１１は、各テナント３に対する入館権限を管理するもので、図１に示すように、端末１４と情報読書手段１５とを備えている。端末１４は、例えばパーソナルコンピュータ等で構成され、入力手段１４ａ、記憶手段１４ｂ、入出力手段１４ｃ、制御手段１４ｄ、表示手段１４ｅを備えている。
【００１６】
入力手段１４ａは、例えばキーボードやマウスなどで構成され、情報読書手段１５により建物４の利用者毎に特有の暗証情報（ＩＤ）を書き込んだカード５を発行する際に操作される。また、入力手段１４ａは、発行したカード５の暗証情報（ＩＤ）毎にその日に有効な入館権限情報を記憶手段１４ｂに更新記憶する際にも操作される。
【００１７】
尚、本例における入館権限情報とは、発行されたカード５を所持する利用者毎にその日に有効なテナント３への入館を許可するために必要不可欠な情報であり、例えば入館を許可するゲート番号、許可日、通過時間帯などが暗証情報（ＩＤ）毎に設定される。
【００１８】
記憶手段１４ｂは、発行されたカード５の暗証情報（ＩＤ）毎にその日に有効な入館権限情報を更新記憶している。また、記憶手段１４ｂには、親電気錠装置１２との間のネットワーク通信によって得られる親電気錠装置１２の施解錠履歴を記憶している。
【００１９】
入出力手段１４ｃは、親電気錠装置１２との間で各種情報の送受信を行うための通信用インターフェースを構成している。
【００２０】
制御手段１４ｄは、各テナント３に対する入館権限情報の管理、親電気錠装置１２の施解錠履歴管理、カード５毎の入館を許可するための入館権限情報の出力制御などを行っている。
【００２１】
表示手段１４ｅは、カード５に暗証情報（ＩＤ）を書き込んで発行する際の表示、親電気錠装置１２の施解錠履歴の一覧表示など建物４のエントランス２や各テナント３への入館に関する各種表示を行っている。
【００２２】
情報読書手段１５は、カード５に対する情報の書き込みや読み出しを接触式や非接触式で行うものであり、カード５の発行時には、カード５毎に異なる特定の暗証情報（ＩＤ）をカード５に書き込んでいる。これにより、建物４への入館を許可するカード５が利用者単位で発行される。
【００２３】
図１に示すように、親電気錠装置１２は、エントランス２の扉近傍に設置され、管理装置１１と相互に通信可能にネットワーク通信網１６を介して接続されており、入出力手段１７、情報読書手段１８、制御手段１９、電気錠２０を備えている。
【００２４】
尚、図１及び図２の例では、共通出入口として１つのエントランス２が設けられ、このエントランス２の扉近傍に親電気錠装置２を設置する構成としているが、エントランス２が複数設けられる場合には、各エントランス２毎の扉近傍に親電気錠装置２が設置され、これら親電気錠装置２がネットワーク通信網１６を介して管理装置１１と相互に通信可能に接続される。
【００２５】
入出力手段１７は、管理装置１１との間で各種情報の送受信を行うための通信用インターフェースを構成している。
【００２６】
情報読書手段１８は、カード５に対する情報の書き込みや読み出しを接触式や非接触式で行うものであり、入館時には、カード５に記憶された情報（暗証情報：ＩＤ）を読み込み、この読み込んだカード情報を制御手段１９に送出している。
【００２７】
制御手段１９は、カード５への利用者（暗証情報：ＩＤ）毎の入館権限情報の書き込み制御、カード５へのエントランス２の通過記録の書き込み制御、カード情報の正当性が確認されたときの解錠制御信号による電気錠２０の解錠制御などを行っている。
【００２８】
電気錠２０は、通常時（閉扉時）は施錠状態にあり、カード情報（暗証情報：ＩＤ）が正常に認証されたときに、制御手段１９からの解錠制御信号によって電気的に解錠される。
【００２９】
子電気錠装置１３は、各テナント３毎の扉近傍に設置され、情報記憶手段２１、情報読書手段２２、制御手段２３、電気錠２４、電池２５を備えている。
【００３０】
情報記憶手段２１には、入館時にカード５から読み込まれる入館権限情報の正当性を判別するための照合情報として、例えば予め子電気錠装置１３毎に付与されたゲート番号が記憶されている。また、情報記憶手段２１には、カード５（暗証情報：ＩＤ）毎のテナント３に対する入室情報や通過記録が記憶される。
【００３１】
情報読書手段２２は、カード５に対する情報の書き込みや読み出しを接触式や非接触式で行うものであり、テナント３への入館時には、カード５に記憶された入館権限情報を読み込み、読み込んだ入館権限情報を制御手段２４に送出している。
【００３２】
制御手段２３は、カレンダー機能を有し、情報読書手段２２が読み込んだカード５の入館権限情報の正当性の判別、その判別結果に基づく解錠制御信号による電気錠２４の解錠制御などを行っている。
【００３３】
電気錠２４は、通常時（閉扉時）は施錠状態にあり、カード５に記憶された入館権限情報が正常に認証されたとき、具体的には、カード５の許可ゲート番号と許可日を、その子電気錠装置１３のゲート番号と本日のカレンダで照合し、両者が一致したときに、制御手段２３からの解錠制御信号によって電気的に解錠される。これに対し、カード５の許可ゲート番号と許可日の少なくとも一方が異なる場合には、電気錠２４は解錠されず、施錠状態が維持される。
【００３４】
電池２５は、子電気錠装置１３を配線レスにより駆動するべく、各部に必要な駆動電源を供給している。
【００３５】
次に、上記のように構成される入館権限情報システム１の運用時の動作について図３を参照しながら説明する。
【００３６】
システムの運用時には、まず、管理装置１１の端末１４において、発行するカード５毎にその日に入館を許可するテナント３に関する入館権限情報を更新設定する。この入館権限情報の更新設定は毎日行われる。そして、管理装置１１が発行するカード５には、利用者を特定する暗証情報（ＩＤ）が予め記憶されている。
【００３７】
建物４への入館時に、共通出入口であるエントランス２の扉近傍に設置された管理装置１１のリーダ（情報読書手段１８）部分にカード５をかざすと、カード５内の暗証情報（ＩＤ）が読み込まれ、正常に認証すると、エントランス２の電気錠２０が解錠する。そして、この電気錠２０の解錠の際、カード５には、予め記憶された暗証情報（ＩＤ）に加え、そのＩＤ毎にその日に入館できるテナント３の入館権限情報（許可ゲート番号、許可日）が追加して書き込まれる。
【００３８】
図３の例では、カード５のＩＤが「１２３４５」であり、そのＩＤでその日に入館できるテナント３の入館権限情報として、許可ゲート番号：１００、許可日：２００５．８．１９がカード５に書き込まれる。
【００３９】
そして、カード５の所持者は、館内を移動し、自分が所属するテナント３の扉近傍に設置された子電気錠装置１３のリーダ（情報読書手段２２）部分にカード５をかざすと、そのカード５に書き込まれた入館権限情報（カード所持者のＩＤ、許可ゲート番号、許可日）が読み取られ、読み取った入館権限情報の正当性が判断される。
【００４０】
・入館権限情報が正常に認証される場合
カード５に記憶された許可ゲート番号と許可日とを、そのテナント３のゲート番号と本日のカレンダとで照合し、両者が一致したときには、カード５から読み取った入館権限情報を正当なものと判断し、そのテナント３の電気錠２４を解錠する。
【００４１】
・入館権限情報が正常に認証されない場合
カード５に記憶された許可ゲート番号と許可日とを、そのテナント３のゲート番号と本日のカレンダで照合し、いずれか一方でも一致しないときには、カード５から読み取った入館権限情報を不正なものと判断し、そのテナント３の電気錠２４は解錠されず、施錠のままとなる。
【００４２】
尚、上記の例では、カード５に記憶された暗証情報（ＩＤ）に対する許可ゲート番号と許可日を、テナントのゲート番号と本日のカレンダで照合することにより入館権限情報の正当性を判断しているが、例えば通過時間帯などの他の情報を付加して照合すれば、入館権限情報の正当性について更に詳細な判断を行うことができる。
【００４３】
このように、本例の入館権限情報システム１では、入館時に、共通出入口であるエントランス２の扉近傍に設置される管理装置１１のリーダ（情報読書手段１５）部分にカード５をかざし、カード５内の情報が正常に認証されると電気錠２０を解錠する。この電気錠２０の解錠時には、カード５内の暗証情報（ＩＤ）によってその日に入館できるテナント３の入館権限情報（許可ゲート番号、許可日）がカード５に書き込まれる。
【００４４】
そして、館内移動中においては、テナント３の電気錠２４及びリーダ（情報読書手段２２）は全てオフラインとなっており、各テナント３の子電気錠装置１３は自身のユニークな番号（ゲート番号）とカレンダー機能、バッテリー（電池２５）を搭載し、リーダ（情報読書手段２２）にかざされたカード５の暗証情報（ＩＤ）は履歴として保存される。
【００４５】
また、テナント３の電気錠２４及びリーダ（情報読書手段２２）は、かざされたカード５の入館権限情報の内容を読み取り、暗証情報（ＩＤ）は合っているか、通過時間帯は合っているかなど、入館権限情報の正当性を判断し、正当性が認められれば、そのテナント３の電気錠２０を解錠する。
【００４６】
ここで、エントランス２にて入館権限情報を書き込んでいないカード５を用いた場合は、テナント３の電気錠２４を解錠することができない（通過時間帯の不一致）。
【００４７】
したがって、本例の入館権限情報システム１によれば、完全オフラインで各テナント３への入館規制を行うことができる。
【００４８】
また、入館権限情報は管理装置１１によって毎日更新設定されるので、カード５の紛失に気付かなくても、紛失したカード５が自動的に使用不可能となる。しかも、日付が変わると、それ以前に発行されたカード５では入館できなくなるので、十分なセキリティを確保することができる。
【００４９】
さらに、入館時に、エントランス２のリーダ（情報読書手段１８）でカード５をかざしていないと、カード５の入館権限情報が更新されないので、テナント３の電気錠２４を解錠することができず、その後どの部屋にも入れなくなる。これにより、テナント３からの連れ込み（後追い）入館を完全に防止することができる。
【００５０】
また、各テナント３の子電気錠装置１３において、リーダ（情報読書手段２２）がオフラインとなっているので、電池駆動式の電気錠と組み合わせることにより、完全にスタンドアロン型（独立型）として構成することができる。これにより、配線も不要となり、施工費が抑えられ、自由なテナント空間を演出することができる。その結果、頻繁に行われるテナントエリアのレイアウト変更（フロアのパーテーション変更）にも容易に対応できる。
【図面の簡単な説明】
【００５１】
【図１】本発明に係る入館権限情報システムの概略構成を示すブロック図である。
【図２】本発明に係る入館権限情報システムが採用される建物の概略構成図である。
【図３】本発明に係る入館権限情報システムの運用時の概略説明図である。
【符号の説明】
【００５２】
１  入館権限情報システム
２  エントランス
３  テナント
４  建物
５  カード（認証用記憶媒体）
１１  管理装置
１２  親電気錠装置
１３  子電気錠装置
１４  端末
１４ａ  入力手段
１４ｂ  記憶手段
１４ｃ  入出力手段
１４ｄ  制御手段
１４ｅ  表示手段
１５  情報読書手段
１６  ネットワーク通信網
１７  入出力手段
１８  情報読書手段
１９  制御手段
２０  電気錠
２１  情報記憶手段
２２  情報読書手段
２３  制御手段
２４  電気錠
２５  電池
【図１】
0004711291.tif 000002
【図２】
0004711291.tif 000003
【図３】
0004711291.tif 000004